【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
通信システムにおけるハイブリッド自動再送要求−確認（ＨＡＲＱ−ＡＣＫ）信号を送信する方法であって、
少なくとも二つのセルの送信モードを識別するステップと、
前記少なくとも二つのセルのうち一つのセルで、該当する物理ダウンリンク制御チャネル（ＰＤＣＣＨ）により指示される物理ダウンリンク共有チャネル（ＰＤＳＣＨ）で一つ又は二つのトランスポートブロックを受信するステップと、
少なくとも一つの物理アップリンク制御チャネル（ＰＵＣＣＨ）リソースを識別するステップと、
前記少なくとも一つのＰＵＣＣＨリソースに基づいて前記一つ又は二つのトランスポートブロックに対する少なくとも一つのＨＡＲＱ−ＡＣＫ信号を送信するステップと、を含み、
前記該当するＰＤＣＣＨは、少なくとも一つの制御チャネルエレメント（ＣＣＥ）を含み、
前記少なくとも一つのＰＵＣＣＨリソースの第１のＰＵＣＣＨリソースは、前記該当するＰＤＣＣＨの送信と、最大二つのトランスポートブロックをサポートする前記送信モードのために使用される第１のＣＣＥ、ｎＣＣＥに基づいて定義され、前記少なくとも一つのＰＵＣＣＨリソースの第２のＰＵＣＣＨリソースは、ｎＣＣＥ＋１に基づいて定義されることを特徴とする方法。
【請求項２】
前記少なくとも二つのセルの他のセルで、該当するＰＤＣＣＨにより指示されるＰＤＳＣＨで一つ又は二つのトランスポートブロックを受信するステップをさらに含むことを特徴とする請求項１に記載の方法。
【請求項３】
前記少なくとも二つのセルのうち前記一つのセルは、第１のセルであることを特徴とする請求項１に記載の方法。
【請求項４】
前記少なくとも二つのセルの他のセルの第３のＰＵＣＣＨリソース及び第４のＰＵＣＣＨリソースを識別するステップをさらに含むことを特徴とする請求項２に記載の方法。
【請求項５】
前記一つ又は二つのトランスポートブロックに対する前記少なくとも一つのＨＡＲＱ−ＡＣＫ信号に対するＨＡＲＱ−ＡＣＫ状態は、前記少なくとも一つのＰＵＣＣＨリソースの中一つにマッピングされることを特徴とする請求項１に記載の方法。
【請求項６】
通信システムにおけるハイブリッド自動再送要求−確認（ＨＡＲＱ−ＡＣＫ）信号を受信する方法であって、
少なくとも二つのセルのうち一つのセルで、該当する物理ダウンリンク制御チャネル（ＰＤＣＣＨ）により指示される物理ダウンリンク共有チャネル（ＰＤＳＣＨ）で一つ又は二つのトランスポートブロックを送信するステップと、
少なくとも一つの物理アップリンク制御チャネル（ＰＵＣＣＨ）リソースに基づいて前記一つ又は二つのトランスポートブロックに対する少なくとも一つのＨＡＲＱ−ＡＣＫ信号を受信するステップと、を含み、
前記該当するＰＤＣＣＨは、少なくとも一つの制御チャネルエレメント（ＣＣＥ）を含み、
前記少なくとも一つのＰＵＣＣＨリソースの第１のＰＵＣＣＨリソースは、前記該当するＰＤＣＣＨの送信と、最大二つのトランスポートブロックをサポートする前記送信モードのために使用される第１のＣＣＥ、ｎＣＣＥに基づいて定義され、前記少なくとも一つのＰＵＣＣＨリソースの第２のＰＵＣＣＨリソースは、ｎＣＣＥ＋１に基づいて定義されることを特徴とする方法。
【請求項７】
前記少なくとも二つのセルの他のセルで、該当するＰＤＣＣＨにより指示されるＰＤＳＣＨで一つ又は二つのトランスポートブロックを送信するステップをさらに含むことを特徴とする請求項６に記載の方法。
【請求項８】
前記少なくとも二つのセルのうち前記一つのセルは、第１のセルであることを特徴とする請求項６に記載の方法。
【請求項９】
前記一つ又は二つのトランスポートブロックに対する前記少なくとも一つのＨＡＲＱ−ＡＣＫ信号に対するＨＡＲＱ−ＡＣＫ状態は、前記少なくとも一つのＰＵＣＣＨリソースの中一つにマッピングされることを特徴とする請求項６に記載の方法。
【請求項１０】
通信システムにおけるハイブリッド自動再送要求−確認（ＨＡＲＱ−ＡＣＫ）信号を送信する装置であって、
少なくとも二つのセルの送信モードを識別し、少なくとも一つの物理アップリンク制御チャネル（ＰＵＣＣＨ）リソースを識別するプロセッサと、
前記少なくとも二つのセルのうち一つのセルで、該当する物理ダウンリンク制御チャネル（ＰＤＣＣＨ）により指示される物理ダウンリンク共有チャネル（ＰＤＳＣＨ）で一つ又は二つのトランスポートブロックを受信する受信器と、
前記少なくとも一つのＰＵＣＣＨリソースに基づいて前記一つ又は二つのトランスポートブロックに対する少なくとも一つのＨＡＲＱ−ＡＣＫ信号を送信する送信器と、を含み、
前記該当するＰＤＣＣＨは、少なくとも一つの制御チャネルエレメント（ＣＣＥ）を含み、
前記少なくとも一つのＰＵＣＣＨリソースの第１のＰＵＣＣＨリソースは、前記該当するＰＤＣＣＨの送信と、最大二つのトランスポートブロックをサポートする前記送信モードのために使用される第１のＣＣＥ、ｎＣＣＥに基づいて定義され、前記少なくとも一つのＰＵＣＣＨリソースの第２のＰＵＣＣＨリソースは、ｎＣＣＥ＋１に基づいて定義されることを特徴とする装置。
【請求項１１】
前記受信器は、前記少なくとも二つのセルの他のセルで、該当するＰＤＣＣＨにより指示されるＰＤＳＣＨで一つ又は二つのトランスポートブロックを受信することを特徴とする請求項１０に記載の装置。
【請求項１２】
前記少なくとも二つのセルのうち前記一つのセルは、第１のセルであることを特徴とする請求項１０に記載の装置。
【請求項１３】
前記プロセッサは、前記少なくとも二つのセルの他のセルの第３のＰＵＣＣＨリソース及び第４のＰＵＣＣＨリソースを識別することを特徴とする請求項１１に記載の装置。
【請求項１４】
前記一つ又は二つのトランスポートブロックに対する前記少なくとも一つのＨＡＲＱ−ＡＣＫ信号に対するＨＡＲＱ−ＡＣＫ状態は、前記少なくとも一つのＰＵＣＣＨリソースの中一つにマッピングされることを特徴とする請求項１０に記載の装置。
【請求項１５】
通信システムにおけるハイブリッド自動再送要求−確認（ＨＡＲＱ−ＡＣＫ）信号を受信する装置であって、
少なくとも二つのセルのうち一つのセルで、該当する物理ダウンリンク制御チャネル（ＰＤＣＣＨ）により指示される物理ダウンリンク共有チャネル（ＰＤＳＣＨ）で一つ又は二つのトランスポートブロックを送信する送信器と、
少なくとも一つの物理アップリンク制御チャネル（ＰＵＣＣＨ）リソースに基づいて前記一つ又は二つのトランスポートブロックに対する少なくとも一つのＨＡＲＱ−ＡＣＫ信号を受信する受信器と、を含み、
前記該当するＰＤＣＣＨは、少なくとも一つの制御チャネルエレメント（ＣＣＥ）を含み、
前記少なくとも一つのＰＵＣＣＨリソースの第１のＰＵＣＣＨリソースは、前記該当するＰＤＣＣＨの送信と、最大二つのトランスポートブロックをサポートする前記送信モードのために使用される第１のＣＣＥ、ｎＣＣＥに基づいて定義され、前記少なくとも一つのＰＵＣＣＨリソースの第２のＰＵＣＣＨリソースは、ｎＣＣＥ＋１に基づいて定義されることを特徴とする装置。
【請求項１６】
前記送信器は、前記少なくとも二つのセルの他のセルで、該当するＰＤＣＣＨにより指示されるＰＤＳＣＨで一つ又は二つのトランスポートブロックを送信することを特徴とする請求項１５に記載の装置。
【請求項１７】
前記少なくとも二つのセルのうち前記一つのセルは、第１のセルであることを特徴とする請求項１５に記載の装置。
【請求項１８】
前記一つ又は二つのトランスポートブロックに対する前記少なくとも一つのＨＡＲＱ−ＡＣＫ信号に対するＨＡＲＱ−ＡＣＫ状態は、前記少なくとも一つのＰＵＣＣＨリソースの中一つにマッピングされることを特徴とする請求項１５に記載の装置。